(57)【要約】      （修正有）【課題】底板が低重心になり、且つ貫通孔により使用者がヘッドの錘の位置を識別することができ、打球の安定性が向上するゴルフ・クラブのヘッド構造を提供する。【解決手段】本体１と、底板２とから構成された、ゴルフ・クラブのヘッドの構造において、本体１は、その一側面１１が打撃面に形成され、その上端がシャフト３と結合し、その下端が底板２と結合し、底板２は、第一底板と第二底板とから構成されたものであり、第一、第二底板にはそれぞれ内窪み段が形成され、第一底板２１と第二底板２２とを結合すると、一つの貫通孔２３が形成されることを特徴とするゴルフ・クラブのヘッドの構造。【選択図】図５
0003109125.tif 000002
【実用新案登録請求の範囲】
【請求項１】
本体と、底板とにより構成した、ゴルフ・クラブのヘッドの構造において、
前記本体は、その一側面が打撃面に形成され、その上端がシャフトと結合し、その下端が底板と結合し、
前記底板は、第一底板と第二底板とにより構成したものであり、前記第一、第二底板にはそれぞれ内窪み段が形成され、前記第一底板と第二底板とを結合すると、一つの貫通孔を形成し、これにより、底板が低重心になり、且つ前記貫通孔により使用者がヘッドの錘の位置を識別することができ、打球の安定性が向上することを特徴とする、
ゴルフ・クラブのヘッドの構造。
【請求項２】
前記底板の第一底板と第二底板とは、一セットの金型により順番に一体成形されたものであることを特徴とする、
請求項１に記載のゴルフ・クラブのヘッドの構造。
【請求項３】
前記底板の第一底板と第二底板とは別々に作製されたものであり、且つ第一底板と第二底板とを結合して一体化することを特徴とする、
請求項１に記載のゴルフ・クラブのヘッドの構造。
【請求項４】
前記底板に形成された貫通孔には錘を配置可能であることを特徴とする、
請求項１に記載のゴルフ・クラブのヘッドの構造。
【請求項５】
第一底板と第二底板との本体にある打撃面に対応する箇所では他の内窪み段がそれぞれ形成してあり、第一底板と第二底板とを結合すると、一つの貫通孔になり、前記貫通孔と底板に形成された貫通孔とが連通し、これにより、第一底板と第二底板とを結合した後、その重量が底板全体に平均して分布し、打球の安定性が向上することを特徴とする、
請求項１に記載のゴルフ・クラブのヘッドの構造。
【考案の詳細な説明】
【技術分野】
【０００１】
本考案はゴルフ・クラブのヘッドの構造に関するものである。
【背景技術】
【０００２】
目下、各種類のゴルフ・クラブの機能及び特性を理解し、適時に適合なゴルフ・クラブを使用すると共に、ゴルフ・クラブのヘッドの構造設計および錘の配置位置を考慮することにより、ゴルフの打球成績を向上させている。
【０００３】
図１と図２に示すのは、従来のゴルフ・クラブのヘッド１０であり、前記ヘッド１０は、本体１０１と台座１０２とから構成されたものであり、本体１０１と台座１０２とを結合すると、内部が空心状になり、図３に示すように、錘２０が台座１０２に取付けられている。
【０００４】
錘２０の取付方式について、上記のようにゴルフ・クラブのヘッド１０の台座１０２に取付ける他、台座１０２に穴１０３を開設して必要な錘２０を別に充填する方式もあるし、台座１０２自身の厚さを増加することによる方式もあるし、台座１０２を成形するときに異なる材質で厚さを増加する方式もある。
【考案の開示】
【考案が解決しようとする課題】
【０００５】
しかしながら、従来の方式では以下のような欠点があった。
（イ）従来のヘッド１０の内部に錘２０を取付け、又は厚さを増加することにより重り作用を形成しても、その本体１０１と台座１０２とは一体に結合したものである。このため、使用者がゴルフ・クラブを購入するときに、ヘッド１０の外部から錘２０の設置された位置が見えなく、感覚だけによりゴルフ・クラブを選択することになる。この結果、打球のバランス感覚を把握できなくなり、ボールを打撃するときにしばしばミスを起こし、理想的な打球の距離が出ず、打球に正確性が無く、結局はゴルフ・クラブを更新することが必要になるので、金銭及び時間を無駄に浪費するものである。
【０００６】
（ロ）従来のヘッド１０は、完成したときに錘２０がその内部に固定され、且つ錘２０の重量も一定なものなので、使用者が異なる錘で打球することが必要な場合には、ヘッド１０を別に作製することが必要になる。このため、従来のヘッド１０は、錘の仕様を多数用意することが必要なので、コストが上昇するものである。
【課題を解決するための手段】
【０００７】
上記欠点を解決するためになされた本願の考案は、本体と、底板とにより構成した、ゴルフ・クラブのヘッドの構造において、前記本体は、その一側面が打撃面に形成され、その上端がシャフトと結合し、その下端が底板と結合し、前記底板は、第一底板と第二底板とにより構成したものであり、前記第一、第二底板にはそれぞれ内窪み段を形成し、前記第一底板と第二底板とを結合すると、一つの貫通孔が形成され、これにより、底板が低重心になり、且つ前記貫通孔により使用者がヘッドの錘の位置を識別することができ、打球の安定性が向上することを特徴とするゴルフ・クラブのヘッドの構造であることを要旨としている。
【０００８】
本願の考案では、前記底板の第一底板と第二底板とは、一セットの金型により順番に一体成形されたものであることを特徴とする請求項１に記載のゴルフ・クラブのヘッドの構造であることを要旨としている。
【０００９】
本願の考案では、前記底板の第一底板と第二底板とは別々に作製されたものであり、且つ第一底板と第二底板とを結合して一体化することを特徴とする請求項１に記載のゴルフ・クラブのヘッドの構造であることを要旨としている。
【００１０】
本願の考案では、前記底板に形成された貫通孔には錘を配置可能であることを要旨としている。
【００１１】
本願の考案では、第一底板と第二底板との本体にある打撃面に対応する箇所では他の内窪み段がそれぞれ形成してあり、第一底板と第二底板とを結合すると、一つの貫通孔になり、前記貫通孔と底板に形成された貫通孔とが連通し、これにより、第一底板と第二底板とを結合した後、その重量が底板全体に平均して分布し、打球の安定性が向上することを特徴とする請求項１に記載のゴルフ・クラブのヘッドの構造であることを要旨としている。
【考案の効果】
【００１２】
本考案に係るゴルフ・クラブのヘッドの構造によれば、底板が低重心になり、且つ前記貫通孔により使用者がヘッドの錘の位置を識別することができ、打球の安定性が向上する。
【考案を実施するための最良の形態】
【００１３】
以下、添付図面を参照して本考案の好適な実施の形態を詳細に説明する。
【００１４】
まず、図５を参照する。本考案に係るゴルフ・クラブのヘッドの構造は、本体１と、底板２とから構成されたものである。前記本体１は、その一側面が打撃面１１に形成され、その上端がシャフト３と結合し、その下端が底板２と結合する。
【００１５】
前記底板２は、空心のシェル状の第一底板２１と第二底板２２とから構成されたものであり、前記第一、第二底板２１，２２にはそれぞれ内窪み段２１１，２２１が形成され、前記第一底板２１と第二底板２２とを結合すると、一つの貫通孔２３が形成され、且つ前記第一底板２１と第二底板２２とに設けた内窪み段２１１，２２１は本体１と異なる色を採用することもできる。
【００１６】
また、本考案では、底板２の第一底板２１および第二底板２２の作製方法と結合方法は二つある。
【００１７】
一つ目は、図５乃至図７に示すように、前記底板２の第一底板２１と第二底板２２とは、一セットの金型により順番に一体成形し、すなわち、まず、前記金型の内部に第二底板２２を形成して、第二底板２２の上に第一底板２１を成形することにより、第一底板２１と第二底板２２とを一体の底板２に作製して本体１と結合する。
【００１８】
二つ目は、図８と図９に示すように、前記底板２の第一底板２１と第二底板２２とは別々に作製され、且つ第一底板２１と第二底板２２とを結合して一体の底板２に作製して本体１と結合する。
【００１９】
だから、底板２により第一底板２１と第二底板２２とを区別し、前記底板２には一定の錘が形成し、且つ前記第一底板２１と第二底板２２とを結合して形成された貫通孔２３により、底板２全体の重心のバランスが良くなり、且つ前記底板２で形成された貫通孔２３の色は本体１と異なることもできるので、使用者がゴルフ・クラブを購入するときに、ヘッドの錘の配置された位置を容易に識別でき、打球の安定性が向上し、底板２の低重心効果も現れる。
【００２０】
また、図１０を参照する。本考案に係る底板２には、第一底板２１と第二底板２２とを結合して形成された貫通孔２３を有し、前記貫通孔２３の内部には、使用者の特殊なニーズにより錘４を別に増設することができ、そうすると、ヘッドは、本来の構造設計を変更し、又は産量を増加することが必要なくなり、コストが低下する。
【００２１】
また、図１１を参照する。本考案では、底板２には、第一底板２１と第二底板２２とを結合して形成された貫通孔２３を有する他、第一底板２１と第二底板２２との本体１にある打撃面１１に対応する箇所では他の内窪み段２１２，２２２がそれぞれ形成してあり、第一底板２１と第二底板２２とを結合すると、一つの貫通孔２４になり、前記貫通孔２４と底板２に形成された貫通孔２３とが連通し、これにより、第一底板２１と第二底板２２とを結合した後、その重量が底板２全体に平均して分布し、打球の安定性が向上する。
【図面の簡単な説明】
【００２２】
【図１】従来のゴルフ・クラブのヘッドの一部を剖開した状態を示す斜視図である。
【図２】従来のゴルフ・クラブのヘッドの構造を示す分解図である。
【図３】本考案のヘッドの正面概略図である。
【図４】本考案のヘッドの他の錘の位置を示す下面図である。
【図５】本考案のヘッドの構造の実施例１の分解図である。
【図６】本考案のヘッドの構造の実施例１の組合状態を示す側面図である。
【図７】本考案のヘッドの構造の実施例１の下面図である。
【図８】本考案のヘッドの構造の実施例２の分解図である。
【図９】本考案のヘッドの構造の実施例２の組合状態を示す側面図である。
【図１０】本考案のヘッドの構造の実施例３の組合状態を示す側面図である。
【図１１】本考案のヘッドの構造の実施例４の組合状態を示す側面図である。
【符号の説明】
【００２３】
１        本体                      １１      打撃面
２１      第一底板                  ２        底板
２２      第二底板                  ２３      貫通孔
２１１    内窪み段                  ２２１    内窪み段
２１２    内窪み段                  ２２２    内窪み段
２４      貫通孔                    ３        ゴルフ・クラブ
４        錘
【図１】
0003109125.tif 000003
【図２】
0003109125.tif 000004
【図３】
0003109125.tif 000005
【図４】
0003109125.tif 000006
【図５】
0003109125.tif 000007
【図６】
0003109125.tif 000008
【図７】
0003109125.tif 000009
【図８】
0003109125.tif 000010
【図９】
0003109125.tif 000011
【図１０】
0003109125.tif 000012
【図１１】
0003109125.tif 000013